(57)【要約】【課題】打撃板に補強リブを設けることによって、高い反発力と耐衝撃強度を両立することができるゴルフクラブヘッドを提供する。【解決手段】  所定の長手方向及び短手方向において延伸する板状体であり、前後方向Ｘにおける前方側に面する打撃フェース３１と、前後方向Ｘにおける後方側に面する背面３３とを有する打撃板３を備えたゴルフクラブヘッド１であって、打撃フェース３１は、中央に位置する中央エリア３１１と、中央エリア３１１を包囲する周縁エリア３１２とを具えており、背面３３には、それぞれ背面３３の周縁エリア３１２に対応する箇所に繋がっている２つの端部３２１、３２２と、該２つの端部３２１、３２２を繋ぐと共に、背面３３の中央エリア３１１に対応する箇所と間をあけるように配置されている連続部３２３と、を有する補強リブ３２が少なくとも１つ設けられている。【選択図】図１
2020011023.tif 000002
【特許請求の範囲】
【請求項１】
所定の長手方向及び前記長手方向と略直交する短手方向において延伸する板状体であり、前記長手方向及び前記短手方向の両方と略直交する前後方向における前方側に面する打撃フェースと、前記前後方向における後方側に面する背面とを有する打撃板を備えたゴルフクラブヘッドであって、
前記打撃フェースは、中央に位置する中央エリアと、前記中央エリアを包囲する周縁エリアとを具えており、
前記背面には、
それぞれ前記背面の前記周縁エリアに対応する箇所に繋がる２つの端部と、２つの前記端部の間にあって該２つの端部を繋ぐと共に、前記背面の前記中央エリアに対応する箇所と間をあけるように配置されている連続部と、を有する補強リブが少なくとも１つ設けられていることを特徴とするゴルフクラブヘッド。
【請求項２】
前記補強リブは、前記短手方向に沿って延伸するように配置形成されていることを特徴とする請求項１に記載のゴルフクラブヘッド。
【請求項３】
前記補強リブは、前記長手方向に沿って延伸するように配置形成されていることを特徴とする請求項１に記載のゴルフクラブヘッド。
【請求項４】
前記補強リブの前記連続部は、
２つの前記端部に近い部分が比較的に前記背面に接近し、２つの前記端部から離れた部分が比較的に前記背面から離れるように、前記背面に向って開口するようにアーチ状であることを特徴とする請求項１〜請求項３のいずれか一項に記載のゴルフクラブヘッド。
【請求項５】
互いに交差する２つ以上の前記補強リブが設けられていることを特徴とする請求項１〜請求項４のいずれか一項に記載のゴルフクラブヘッド。
【請求項６】
前記打撃板は、前記打撃フェースが前記前方側に向かって突起曲面に形成され、前記背面が前記後方側に向かって開口する凹面に形成されていることを特徴とする請求項１〜請求項５のいずれか一項に記載のゴルフクラブヘッド。
【請求項７】
２つの前記端部が、それぞれ前記前後方向において延伸する柱状に形成されていることを特徴とする請求項１〜請求項６のいずれか一項に記載のゴルフクラブヘッド。
【請求項８】
前記連続部の前記前後方向において前記背面との最大距離が、４ｍｍ〜８ｍｍの範囲内であることを特徴とする請求項１〜請求項７のいずれか一項に記載のゴルフクラブヘッド。
【請求項９】
２つの前記端部が、前記連続部より太く形成されていることを特徴とする請求項１〜請求項８のいずれか一項に記載のゴルフクラブヘッド。
【発明の詳細な説明】
【技術分野】
【０００１】
本発明は、ゴルフクラブヘッドに関し、特に反発力と耐衝撃強度とを両立することができるゴルフクラブヘッドに関する。
【背景技術】
【０００２】
ゴルフボールの飛距離とゴルフクラブの耐久性は、ゴルファーにとって重要性が高く、ゴルフクラブの製造業界において、ゴルフクラブヘッドの性能がゴルフクラブ全体の評価に直結する。
【０００３】
ここで、ゴルフクラブヘッドの打撃板（いわゆるフェース）は、ボールの打撃時においてボールに当たることから、ゴルフクラブヘッドを構成する各部材の中でも特にボールの飛距離と耐久性に影響し易い。また、ボールの飛距離とゴルフクラブの耐久性を延ばすために、反発力が高く、耐衝撃強度に優れたゴルフクラブヘッドが求められている。
【０００４】
一般的には、ゴルフクラブヘッドの打撃板の反発力を向上させるために、打撃板を薄くする方法が利用されている。しかし、打撃板を薄くすると、耐衝撃強度が著しく低下してしまう。
【０００５】
以下の特許文献１に記載された従来のゴルフクラブヘッドの打撃板は、打撃板の幾何形状を調整することによってスイートスポットのサイズを増大していて反発力を向上させ、そしてボールの飛距離を延ばす効果を達成することができる。
【先行技術文献】
【特許文献】
【０００６】
【特許文献１】日本特許出願公開第２０１４−１２８７１２号明細書
【発明の概要】
【発明が解決しようとする課題】
【０００７】
しかしながら、特許文献１に記載したゴルフクラブヘッドの打撃板は、高い反発力を得ることができるが、耐衝撃強度に関しては改善の余地があり、高い反発力と、耐衝撃強度を両立することができない。
【０００８】
よって、本発明は上記問題点に鑑みて、高い反発力と耐衝撃強度を両立するゴルフクラブヘッドを提供することを目的とする。
【課題を解決するための手段】
【０００９】
上記目的を達成すべく、本発明は以下のゴルフクラブヘッドを提供する。 
即ち、所定の長手方向及び長手方向と略直交する短手方向において延伸する板状体であり、長手方向及び短手方向の両方と略直交する前後方向における前方側に面する打撃フェースと、前後方向における後方側に面する背面とを有する打撃板を備えたゴルフクラブヘッドであって、
打撃フェースは、中央に位置する中央エリアと、中央エリアを包囲する周縁エリアとを具えており、
背面には、それぞれ背面の周縁エリアに対応する箇所に繋がっている２つの端部と、２つの端部の間にあって該２つの端部を繋ぐと共に、背面の中央エリアに対応する箇所と間をあけるように配置されている連続部と、を有する補強リブが少なくとも１つ設けられているゴルフクラブヘッドを提供する。
【発明の効果】
【００１０】
上記構成により、本発明に係るゴルフクラブヘッドの打撃板の背面には、打撃板と相対する面が凹となるアーチ状の少なくとも１つの補強リブが形成される。そして、ボールが打撃板に当たると、打撃板は一時的に補強リブが形成された方向へ弾性変形すると共に、補強リブもこの打撃板の背面側への移動によって一時的に弾性変形する。そして、ゴルフクラブヘッドは、この弾性変形した打撃板が元の位置に戻る力に加え、打撃板の背面側への移動に伴い発生した補強リブの弾性変形の回復力を利用してボールを飛ばすので、高い反発力を得られる。
【００１１】
また、ゴルフクラブヘッドの打撃板を薄くしても、該打撃板の背面に該補強リブが形成されることによって、該打撃板の耐衝撃強度を改善させることができる。
したがって、高い反発力と優れた耐衝撃強度とを両立することができる。
【図面の簡単な説明】
【００１２】
【図１】本発明に係るゴルフクラブヘッドの打撃板の第１の実施形態を説明する側面の断面図である。
【図２】該第１の実施形態の構成を説明する正面の断面図である。
【図３】本発明に係るゴルフクラブヘッドの打撃板でボールの打撃時に、ボールが打撃板に当たる瞬間に、該打撃板の弾性変形が示される模式的側面図である。
【図４】本発明に係るゴルフクラブヘッドの打撃板の態様を示す模式的側面図である。
【図５】本発明に係るゴルフクラブヘッドの打撃板の態様を示す模式的側面図である。
【図６】本発明に係るゴルフクラブヘッドの打撃板の第２の実施形態を説明する正面の断面図である。
【図７】本発明に係るゴルフクラブヘッドの打撃板の第３の実施形態を説明する正面の断面図である。
【図８】本発明に係るゴルフクラブヘッドの打撃板の第４の実施形態を説明する模式的側面図である。
【発明を実施するための形態】
【００１３】
図１〜図３を参照して本発明の第１の実施形態を説明する。ここで、図１は本発明に係るゴルフクラブヘッド１の打撃板３の第１の実施形態を説明する側面の断面図であり、図２は該第１の実施形態の構成を説明する正面の断面図であり、また、図３は本発明に係るゴルフクラブヘッド１の打撃板３でボール４を打撃した時に、ボール４が該打撃板３に当たる瞬間に、打撃板３の変形状態が示される模式的側面図である。
【００１４】
図１及び図２に示されるように、本発明に係るゴルフクラブヘッド１は、クラウン部分２と、クラウン部分２に隣接し、且つクラウン部分２と共に内部空間２１が画成されている打撃板３とを備えている。
【００１５】
打撃板３は、所定の長手方向及び長手方向と略直交する短手方向において延伸する板状体であり、長手方向及び短手方向の両方と略直交する前後方向Ｘにおける前方側に面する打撃フェース３１と、前後方向Ｘにおける後方側に面する背面３３とを有している。
打撃板３の打撃フェース３１は、中央に位置する中央エリア３１１と、中央エリア３１１を包囲する周縁エリア３１２とを具えている。
打撃板３の背面３３には、内部空間２１においてそれぞれ背面３３の周縁エリア３１２に対応する箇所に繋がっている２つの端部３２１、３２２と、２つの端部３２１、３２２の間にあって該２つの端部３２１、３２２を繋ぐと共に、背面３３の中央エリア３１１に対応する箇所と間をあけるように配置されている連続部３２３と、を有する補強リブ３２が少なくとも１つ設けられている。本実施形態では、該補強リブ３２は、短手方向に沿って延伸するように配置形成されている。
【００１６】
補強リブ３２の連続部３２３は、２つの端部３２１、３２２に近い部分が比較的に背面３３に接近し、２つの端部３２１、３２２から離れた部分が比較的に背面３３から離れるように、背面３３に向って開口するようにアーチ状である。
【００１７】
本実施形態では、補強リブ３２は、打撃板３の背面３３において打撃板３と一体に作成される構成を採用しているが、本発明において、補強リブ３２は打撃板３とは別個に作成してから打撃板３の背面３３に取り付ける構成を採用することも可能である。
【００１８】
図３に示されるように、本発明に係るゴルフクラブヘッド１の打撃板３でボール４を打撃する際に、ボール４が該打撃板３に当たる瞬間に、該打撃板３はボール４による衝撃を吸収していて略湾曲状態に弾性変形となる。
【００１９】
また、連続部３２３と２つの端部３２１、３２２からなる補強リブ３２は、打撃板３の弾性変形と共に、曲率が増大するように弾性変形する。そして、弾性変形した打撃板３及び補強リブ３２は、弾性回復することによって弾力を開放させ、ボール４を打ち出す。
【００２０】
また、打撃板３の背面３３に繋がった補強リブ３２の構成によって、ボール４による衝撃を効率的に吸収させていて、ボール４を飛ばすためのエネルギーへ変換することができる。したがって、本発明に係るゴルフクラブヘッド１の打撃板３は、優れた反発係数（Ｃｏｅｆｆｉｃｉｅｎｔ  ｏｆ  Ｒｅｓｔｉｔｕｔｉｏｎ、ＣＯＲ）を有するため、ボール４を衝撃する特性時間（Ｃｈａｒａｃｔｅｒｉｓｔｉｃ  Ｔｉｍｅ、ＣＴ）を減少させることができる。
【００２１】
また、補強リブ３２は、反発力を向上させるだけでなく、打撃板３に支持力も提供することができる。そのため、優れた反発係数（ＣＯＲ）を求めるために、薄く形成された打撃板３は、打撃板３の背面３３に繋がった補強リブ３２の構成によって耐衝撃強度を維持または向上させることができる。
【００２２】
また、打撃板３の背面３３に補強リブ３２が形成されることによって耐衝撃強度を容易に維持することができるため、例えば、ボール４の飛距離、落とし所、方向安定性といった要求に応じて、打撃板３を薄く形成することができる。
【００２３】
なお、補強リブ３２の連続部３２３の前後方向Ｘにおいて背面３３との最大距離が、４ｍｍ〜８ｍｍの範囲内であり、これを打撃板３の広さに応じて調整することができる。本実施形態では、連続部３２３と背面３３との最大距離が８ｍｍであれば強度が比較的に良い。
【００２４】
図４〜図５を参照して本発明に係るゴルフクラブヘッド１の打撃板３の態様を説明する。ここで、図４と図５は本発明に係るゴルフクラブヘッド１の打撃板３の態様を示す模式的側面図である。
【００２５】
図４に示されるように、補強リブ３２の２つの端部３２１、３２２が、それぞれ前後方向Ｘにおいて延伸する柱状に形成されている。又は、図５に示されるように、補強リブ３２の２つの端部３２１、３２２が、連続部３２３より太く形成されている。勿論、上記の態様に限定されず、さまざまな要求に応じて異なる形状の補強リブ３２を変更させることができる。
例えば、ボールの飛距離、打球音、スイートスポットといったゴルフクラブヘッド１の打撃板３に関する要素は、補強リブ３２の形状や長さを調整することによって改善できる。
【００２６】
図６〜図８を参照して、図６は本発明に係るゴルフクラブヘッド１の打撃板３の第２の実施形態を説明する正面断面図であり、図７は本発明に係るゴルフクラブヘッド１の打撃板３の第３の実施形態を説明する正面断面図であり、また、図８は本発明に係るゴルフクラブヘッド１の打撃板３の第４の実施形態を説明する模式的側面図である。
【００２７】
図６に示されるように、本発明に係るゴルフクラブヘッド１の打撃板３の第２の実施形態では、補強リブ３２は長手方向に沿って延伸するように配置形成されている。補強リブ３２が方向を変換することによって、異なる打球音が得られるので、ゴルファーの好みに答える製品を提供できる。
【００２８】
図７に示されるように、本発明に係るゴルフクラブヘッド１の打撃板３の第３の実施形態では、互いに交差する２つの補強リブ３２が設けられている。補強リブ３２の数量を増加することによって、ゴルフクラブヘッド１の構造を強くし打撃板３の耐衝撃強度を一層向上させることができる。
勿論、ここで補強リブ３２の数量は、２つに限定されず、互いに交差する２つ以上の補強リブ３２を設けることができる。
【００２９】
図８に示されるように、本発明に係るゴルフクラブヘッド１の打撃板３の第４の実施形態では、打撃板３は、打撃フェース３１が前方側に向かって突起曲面に形成され、背面３３が後方側に向かって開口する凹面に形成されている。即ち、本発明に係るゴルフクラブヘッド１の打撃板３は、形状に限定されずに板状ではない曲面状であっても、補強リブ３２を利用していて同様な効果を得ることができる。
【００３０】
以下、実施例１〜実施例８及び比較例１を通じて本発明を詳細に説明する。但し、下記の実施例は、本発明をより詳細に説明するための例示であるだけで、本発明の権利範囲を限定するものではない。
【００３１】
実施例１〜実施例４について、図１に示される第１の実施形態のゴルフクラブヘッド１の打撃板３に対して、打撃応力のシミュレーションを行う。
【００３２】
実施例１は、補強リブ３２の外径が３ｍｍであり、そして補強リブ３２の連続部３２３の前後方向Ｘにおいて背面３３との最大距離が４ｍｍである。
【００３３】
実施例２は、補強リブ３２の外径が５ｍｍであり、そして補強リブ３２の連続部３２３の前後方向Ｘにおいて背面３３との最大距離が４ｍｍである。
【００３４】
実施例３は、補強リブ３２の外径が３ｍｍであり、そして補強リブ３２の連続部３２３の前後方向Ｘにおいて背面３３との最大距離が８ｍｍである。
【００３５】
実施例４は、補強リブ３２の外径が５ｍｍであり、そして補強リブ３２の連続部３２３の前後方向Ｘにおいて背面３３との最大距離が８ｍｍである。
【００３６】
実施例５及び実施例６について、図４に示される第１の実施形態のゴルフクラブヘッド１の打撃板３に対して、打撃応力のシミュレーションを行う。
【００３７】
実施例５は、補強リブ３２の連続部３２３の外径が３ｍｍであり、補強リブ３２の２つの端部３２１、３２２の外径が２ｍｍであり、且つ、２つの端部３２１、３２２の長さが２ｍｍであり、そして補強リブ３２の連続部３２３の前後方向Ｘにおいて背面３３との最大距離が６ｍｍである。
【００３８】
実施例６は、補強リブ３２の連続部３２３の外径が５ｍｍであり、補強リブ３２の２つの端部３２１、３２２の外径が２ｍｍであり、且つ、２つの端部３２１、３２２の長さが２ｍｍであり、そして補強リブ３２の連続部３２３の前後方向Ｘにおいて背面３３との最大距離が６ｍｍである。
【００３９】
実施例７について、図５に示される第１の実施形態のゴルフクラブヘッド１の打撃板３に対して、ボール４を打撃する応力のシミュレーションを行う。
【００４０】
実施例７は、補強リブ３２の２つの端部３２１、３２２における最も大きな外径が５ｍｍであり、打撃板３の背面３３から離れるにつれて、段々と小さくなって補強リブ３２の連続部３２３における最も小さな外径が３ｍｍであり、そして補強リブ３２の連続部３２３の前後方向Ｘにおいて背面３３との最大距離が４ｍｍである。
【００４１】
実施例８について、図６に示される第２の実施形態のゴルフクラブヘッド１の打撃板３に対して、打撃応力のシミュレーションを行う。
【００４２】
実施例８は、補強リブ３２の外径が５ｍｍであり、補強リブ３２の連続部３２３の前後方向Ｘにおいて背面３３との最大距離が４ｍｍである。
【００４３】
比較例１について、従来のゴルフクラブヘッドの打撃板に対して、ボールを打撃する応力のシミュレーションを行う。
【表１】
2020011023.tif 000003
表１に示されるように、補強リブ３２を有するゴルフクラブヘッド１は、打撃応力が７９９Ｍｐａ〜８７２Ｍｐａにあり、補強リブ３２が設けられない従来のゴルフクラブヘッドよりもボール４に対する打撃応力を飛躍的に向上させることができる。
【００４４】
更に、実施例３において、補強リブ３２の連続部３２３の前後方向Ｘにおいて背面３３との最大距離が８ｍｍであれば、強力な打撃応力が得られる。
よって、補強リブ３２の連続部３２３の前後方向Ｘにおいて背面３３との最大距離は、ボール４に対する打撃応力に最も大きな影響を与えている。
【００４５】
上記においては、本発明の全体的な理解を促すべく、多くの具体的な詳細が示された。しかしながら、当業者であれば、一またはそれ以上の他の実施形態が具体的な詳細を示さなくとも実施され得ることが明らかである。
【００４６】
以上、本発明の好ましい実施形態及び変化例を説明したが、本発明はこれらに限定されるものではなく、最も広い解釈の精神および範囲内に含まれる様々な構成として、全ての修飾および均等な構成を包含するものとする。
【産業上の利用可能性】
【００４７】
本発明は、上記のように記載されたゴルフクラブヘッド１の打撃板３によって、高い反発力と優れた耐衝撃強度とを併せ持つことができ、そしてボール４に対する強力な打撃応力を得ることができる。そのため、産業上の利用可能性がある。
【符号の説明】
【００４８】
１  ゴルフクラブヘッド
２  クラウン部分
２１  内部空間
３  打撃板
３１  打撃フェース
３１１  中央エリア
３１２  周縁エリア
３２  補強リブ
３３  背面
３２１  端部
３２２  端部
３２３  連続部
４  ボール
Ｘ  前後方向
【図１】
2020011023.tif 000004
【図２】
2020011023.tif 000005
【図３】
2020011023.tif 000006
【図４】
2020011023.tif 000007
【図５】
2020011023.tif 000008
【図６】
2020011023.tif 000009
【図７】
2020011023.tif 000010
【図８】
2020011023.tif 000011